(57)【特許請求の範囲】
【請求項１】
家具本体の開口部を開閉する引戸に固定して設けられたラッチ受けと、家具本体に設けられ且つ前記ラッチ受けに引っ掛かるラッチ位置と前記ラッチ受けから離脱する解除位置とに移動可能なラッチ部材と、引戸に対し該引戸の開閉方向と同方向に移動可能に設けられ且つ引戸の表側から操作可能な操作部材とを備え、前記ラッチ部材は、ラッチ位置にあるとき引戸が開く方向への前記ラッチ受けの移動を阻止するように形成されており、前記操作部材は、引戸が閉位置にあるとき引戸の開方向と同方向への移動により前記ラッチ部材をラッチ位置から解除位置へと移動させるように形成されていることを特徴とする家具の引戸ラッチ装置。
【請求項２】
前記ラッチ部材が家具本体に対し上下方向にスライド可能に設けられていることを特徴とする請求項１記載の家具の引戸ラッチ装置。
【請求項３】
前記ラッチ部材と前記操作部材のうちの一方にカム部が、また他方に該カム部と当接可能な当接部がそれぞれ設けられていることを特徴とする請求項１又は２記載の引戸用ラッチ装置。
【請求項４】
前記操作部材は引戸の表側に露出する手掛け部を有し、この手掛け部は引戸に対し該引戸の開閉方向と同方向に移動可能に取り付けられることを特徴とする請求項１から３までのいずれか１つに記載の引戸用ラッチ装置。
【請求項５】
前記ラッチ受けが引戸の側端部に形成された係合穴の端縁である請求項１から４までのいずれか１つに記載の引戸用ラッチ装置。
【請求項６】
前記ラッチ部材は前記ラッチ受けに引っ掛かることができるフック部を有し、このフック部が前記ラッチ受けに対しラッチ位置と解除位置との間を上下に移動するように前記ラッチ部材は家具本体に対しその奥行き方向に延びる水平軸を介して回転移動可能に設けられていることを特徴とする請求項１記載の引戸用ラッチ装置。
【請求項７】
前記ラッチ受けが引戸に固定される手掛け枠と一体に形成されており、前記操作部材は前記手掛け枠に対し引戸の開閉方向と同方向に移動可能に支持されるとともに、該手掛け枠の内側に臨む手掛け片を有することを特徴とする請求項６記載の引戸用ラッチ装置。
【発明の詳細な説明】
【０００１】
【発明の属する技術分野】
本発明は引戸を有する家具に好適に用いることができる引戸ラッチ装置に関する。
【０００２】
【従来の技術】
従来より、家具本体の開口部を開閉するための引き違い式引戸と、この引戸を閉位置に拘束することができるラッチ装置とを備えた家具が知られている。
【０００３】
従来のこの種のラッチ装置は、例えば特開平８-１８９２４２号、特開平１０-２１４０号、特開平１０-１８４１３５号公報に記載されているように、家具本体に設けられたラッチ受けと、引戸に設けられたラッチ部材と、同じく引戸に設けられた操作部材とを備えており、引戸が閉位置にあるとき操作部材を引戸の開方向と同方向に移動させることにより、操作部材とラッチ部材とを連動させてラッチ部材をラッチ受けから離脱させ引戸を閉位置から解放できるものとなっている。
【０００４】
【発明が解決しようとする課題】
上述したように、従来の引戸ラッチ装置においては、可動部材であるラッチ部材が、一般に家具本体と比べて剛性の小さい引戸側に設けられているため、ラッチ受けに対するラッチ部材の動作が不安定になりやすい。また、可動部材であるラッチ部材と、同じく可動部材である操作部材とが共に引戸に組み込まれ、且つ、操作部材の動きを、該操作部材とは異なるベクトルの動きをするラッチ部材に変換する必要があるため、引戸側のラッチ装置構成部品が大きく嵩張り、家具本体の有効収容スペースを狭める原因になるとともに、引戸の引き違い移動を邪魔し引戸の開き量を制限する原因となる。
【０００５】
したがって、本発明の目的は、上記従来技術の欠点を解消し、ラッチ部材の安定動作を可能にするとともに、家具本体と引戸とにコンパクトに組み込むことができる家具の引戸ラッチ装置を提供することにある。
【０００６】
【課題を解決するための手段】
上記課題を解決するために、本発明は、家具本体の開口部を開閉する引戸に固定して設けられたラッチ受けと、家具本体に設けられ且つ前記ラッチ受けに引っ掛かるラッチ位置と前記ラッチ受けから離脱する解除位置とに移動可能なラッチ部材と、引戸に対し該引戸の開閉方向と同方向に移動可能に設けられ且つ引戸の表側から操作可能な操作部材とを備え、前記ラッチ部材は、ラッチ位置にあるとき引戸が開く方向への前記ラッチ受けの移動を阻止するように形成されており、前記操作部材は、引戸が閉位置にあるとき引戸の開方向と同方向への移動により前記ラッチ部材をラッチ位置から解除位置へと移動させるように形成されていることを特徴とする家具の引戸ラッチ装置を提供する。
【０００７】
上記構成の引戸ラッチ装置においては、引戸が閉まっているときに、操作部材を引戸が開く方向と同方向に操作したときのみラッチ部材をラッチ受けから離脱させて引戸を開けることができるとともに、ラッチ部材が引戸よりも剛性の高い家具本体に組み付けられるので、ラッチ部材を安定に動作させることができる。また、引戸側に組み込む可動部品を少なくすることができるので、引戸の裏側が嵩張ることを防止できる。したがって、家具本体内の収容スペースが狭められることを防止できるとともに、引戸の引き違い移動が制限されて引戸の開き量が狭まることを防止できる。
【０００８】
上記構成において、好ましくは、前記ラッチ部材が家具本体に対し上下方向にスライド可能に設けられる。かかる構成によれば、ラッチ部材の移動方向が上下方向であるため、収容スペース上の制約を受けることなく大きな移動ストロークを容易に確保することができる。したがって、ラッチ部材によるラッチ及び解除動作をより確実なものにすることができる。
【０００９】
また好ましくは、前記ラッチ部材と前記操作部材のうちの一方にカム部が、また他方に該カム部と当接可能な当接部がそれぞれ設けられる。かかる構成によれば、カム部と当接部との連係動作により、引戸が閉位置にあるとき操作部材を引戸の開方向と同方向へ移動させることにより前記ラッチ部材をラッチ位置から解除位置へと移動させることができる。
【００１０】
また好ましくは、前記操作部材は引戸の表側に露出する手掛け部を有し、この手掛け部は引戸に対し該引戸の開閉方向と同方向に移動可能に取り付けられる。かかる構成によれば、引戸が閉位置にあるとき引戸の表側から操作部材の手掛け部に手を掛けて手掛け部を引戸の開方向と同方向へ押すことにより前記ラッチ部材をラッチ受けから離脱させ引戸を閉位置から解放することができるので、引き続き手掛け部に手をかけたまま引戸をスムーズに開くことができる。また、手掛け部が操作部材の一部をなしているので、手掛け部の中に可能部品を組み込む必要がなく操作部材をシンプルな構成とすることができる。
【００１１】
また好ましくは、前記ラッチ受けが引戸の側端部に形成された係合穴の端縁である。係る構成によれば、引戸の側端部に形成された係合穴の端縁がラッチ受けをなすので、新たな部品を必要とせず、安価に製造できることとなる。
【００１２】
また、好ましくは、前記ラッチ部材は前記ラッチ受けに引っ掛かることができるフック部を有し、このフック部が前記ラッチ受けに対しラッチ位置と解除位置との間を上下に移動するように前記ラッチ部材は家具本体に対しその奥行き方向に延びる水平軸を介して回転移動可能に設けられる。かかる構成によれば、ラッチ部材のフック部の移動方向が上下方向であるため、収容スペース上の制約を受けることなく大きな移動ストロークを容易に確保することができる。したがって、ラッチ及び解除動作の確実な引戸ラッチ装置を提供することができる。また、ラッチ部材の支持形態が回転支持であるので、動作の遊びを小さく抑えつつスムーズな動きを確保することができる。
【００１３】
また好ましくは、前記ラッチ受けが引戸に固定される手掛け枠と一体に形成されており、前記操作部材は前記手掛け枠に対し引戸の開閉方向と同方向に移動可能に支持されるとともに、該手掛け枠の内側に臨む手掛け片を有する。かかる構成によれば、引戸に固定される手掛け枠にラッチ受けが一体に形成されるとともに、該手掛け枠に操作部材が支持されているので、これら部品を容易に引戸に組み付けることができる。また、手掛け枠を基準としてラッチ受けと操作部材の位置合わせ精度を容易に確保することができるので、ラッチ部材とラッチ受けと操作部材とを容易に良好な相対的位置関係に保つことができることとなる。
【００１４】
【発明の実施の形態】
以下、図面を参照して本発明の好ましい実施形態を説明する。
【００１５】
【実施例】
図１から図６までは本発明の一実施例を示しており、図１は収納家具の斜視図、図２は図１に示す収納家具の一部破断要部横断面平面図、図３は図２は図１に示す収納家具の一部破断要部縦断面正面図、図４は収納家具に対する引戸ラッチ装置の分解斜視図、図５（ａ）、（ｂ）、（ｃ）、（ｄ）は引戸を開くときの引戸ラッチ装置の一連の動きを示す家具の一部破断要部縦断面正面図、図６（ａ）、（ｂ）、（ｃ）、（ｄ）は引戸を閉めるときの引戸ラッチ装置の一連の動きを示す家具の一部破断要部縦断面正面図である。
【００１６】
はじめに図１を参照すると、収納家具は前面に開口部２を有する家具本体１と、この家具本体１の開口部２を開閉するための引戸３、４とを有する。家具本体１は左右の側板５、６と天板７と底板８と図示しない背面板とを有し、引戸３、４は天板７及び底板８に設けられるレールに沿って引き違い式に左右に移動可能に支持されている。図２に示すように、左側の側板５の内面側には左側の引戸３の左側端部を受容する凹溝５ａが形成され、右側の側板６の内面側には右側の引戸４の右側端部を受容する凹溝６ａが形成されている。
【００１７】
上記構成の収納家具には、左側引戸用のラッチ装置１０と右側引戸用のラッチ装置１１がそれぞれ設けられている。両ラッチ装置１０，１１は左右対称であるが構成は実質上同一であるので、以下、左側引戸用のラッチ装置１０についてその構成を詳細に説明することとし、右側引戸用のラッチ装置１１については左側引戸用のラッチ装置１０と同一構成要素に同一参照符号を付し、詳細な説明を省略する。
【００１８】
図２から図３までを参照すると、ラッチ装置１０は、引戸３に設けられるラッチ受け１２を有し、この実施例では、引戸３の側端に形成された係合穴３ａの下端縁がラッチ受け１２を構成している。一方、家具本体１の側板５にはラッチ部材１３が設けられている。このラッチ部材１３はラッチ受け１２に引っ掛かることができるフック部１３ａと、下向き山形形状のカム部１３ｂとを有しており、ラッチ部材１３はそのフック部１３ａが引戸の３のラッチ受け１２に引っ掛かるラッチ位置（図３、図５（ａ）、（ｂ）、図６（ｄ）参照）と、ラッチ受け１２から離脱する解除位置（図５（ｃ）、図６（ｃ）参照）との間を上下方向に移動可能となっている。
【００１９】
更に詳しくは、この実施例の引戸ラッチ装置は、側板５の凹溝５ａの溝底部に形成された取付穴５ｂに嵌め込まれるホルダ１４を備え、このホルダ１４に設けられた垂直軸１５にラッチ部材１３が上下動可能に保持され、且つ、ばね１６で下方すなわち解除位置からラッチ位置に向かう方向に押圧されている。
【００２０】
図４に示すように、ラッチ部材１３のフック部１３ａとカム部１３ｂはホルダ１４のスリット穴１４ａから外部に突出しており、ホルダ１４を凹溝５ａの溝底部（取付穴５ｂ）に取り付けたとき、ラッチ部材１３のフック部１３ａとカム部１３ｂが凹溝５ａ内に位置するようになっている。さらに詳しくは、この実施例のラッチ部材１３のフック部１３ａとカム部１３ｂは凹溝５ａから外部（家具本体１の収容空間）に突出せず、凹溝５ａの空間内に納まって上下動するように形成されている。したがって、家具本体１の収容空間内に収容される収容物を出し入れする際にラッチ部材１３が邪魔な突出物を形成することはない。
【００２１】
さらに、図２，図３及び図４からわかるように、ホルダ１４は取付穴５ｂの下縁内面側に当接可能な突起１４ｂと、取付穴５ｂの両側縁及び上縁の表面側に当接可能な鍔部１４ｃと、取付穴５ｂの両側縁内面側に当接可能な弾性突出片１４ｄとを有し、これら突起１４ｂ、鍔部１４ｃ及び弾性突出片１４ｄによりホルダ１４をワンタッチで取付穴５ｂに取り付け可能となっている。
【００２２】
図２、図３、図４に示すように、引戸３には操作部材２０が該引戸３の開閉方向と同方向に移動可能に設けられている。この操作部材２０はラッチ部材１３のカム部１３ｂに当接可能な当接部としてのピン２１を有しており、ピン２１は前後方向（家具本体１の奥行き方向）に水平に延びており、引戸３が閉位置にあるとき該操作部材２０を引戸３の開方向と同方向に移動させるとラッチ部材１３のカム部１３ｂに当接しラッチ部材１３をラッチ位置からその上方の解除位置へと移動させることができるものとなっている。
【００２３】
さらに、この実施例では、操作部材２０は引戸３の表側に露出する手掛け部としての手掛け枠２２を一体に有しており、手掛け枠２２は引戸３に対し該引戸３の開閉方向と同方向に移動可能に設けられている。すなわち、手掛け枠２２は引戸３に形成された本体取付穴３ｂに引戸３の表側からはめ込まれる略角皿形の本体部２２ａと、この本体部２２ａの表側に設けられた鍔部２２ｂとを有し、本体部２２は引戸３の本体取付穴３ｂ内で引戸３の開閉方向と同方向に移動可能となっている。また、本体部２３はその表側に手の指が入る大きさの凹部２２ｃを有している。本体取付穴３ｂの上下において引戸３にはそれぞれスリット穴３ｃ、３ｄが形成されており、手掛け枠２２の鍔部２２ｂにはスリット穴３ｃ、３ｄの一端に当接される突起部２２ｄ、２２ｅと、スリット穴３ｃ、３ｄの他端に当接される屈曲ばね２２ｆ、２２ｇとが設けられている。これら本体部２２ａ、鍔部２２ｂ、突起部２２ｄ、２２ｅ、屈曲ばね２２ｆ、２２ｇは操作部材２０のピン２１と共に合成樹脂の一体成形により一体に形成されている。
【００２４】
引戸３を図５（ａ）に示す閉位置から図中右方に開くときは、図５（ｂ）に示すように、引戸３の表側から手掛け枠２２の凹部２２ｃに手の指２５をかけて手掛け枠２２を図中右方に押す。このとき、ラッチ部材１３のフック部１３ａが引戸３に設けられているラッチ受け１２に引っ掛かって引戸３を閉位置に拘束しているので、操作部材２０の手掛け枠２２が引戸３に対し図中右方に移動する。これに伴い、操作部材２０のピン２１がラッチ部材１３のカム部１３ｂの内側傾斜面に当接しカム部１３ｂを図中右方に押すので、ラッチ部材１３はラッチ位置から上方に移動する。そして、図５（ｃ）に示すように、ラッチ部材１３がラッチ受け１２から離脱したとき、ピン２１はラッチ部材１３のカム部１３ｂから離脱するので、引戸３は閉位置から解放される。したがって、手掛け枠２２を引き続き図中右方に押すことにより、図５（ｄ）に示すように、引戸３を開方向に移動させることができる。
【００２５】
また、引戸３を閉めるときは、図６（ａ）に示すように、手掛け枠２２の凹部２２ｃに手の指２５を掛けて手掛け枠２２を図中左方に押す。このとき、引戸３は手掛け枠２２と一緒に左方（閉方向）に移動する。そして、図６（ｂ）に示すように、ラッチ受け１２がラッチ部材１３のフック部１３ａに形成されている傾斜部１３ｃに当接し傾斜部１３ｃを左方に押し、また、操作部材２０のピン２１がラッチ部材１３のカム部１３ｂの外側傾斜面に当接し該外側傾斜面を左方に押すので、ラッチ部材１３はばね１６の力に抗して上方に移動する。そして、図６（ｃ）に示すように、ラッチ部材１３が所定位置（解除位置）まで上昇すると、ラッチ受け１２がラッチ部材１３のフック部１３ａの下を通過し、同時にピン２１がカム部１３ｂの下を通過するので、引戸３は図６（ｄ）に示す閉位置まで移動することができる。そして、引戸３が閉位置に達すると、ラッチ部材１３がばね１６の力で下方に移動しフック部１３ａがラッチ受け１２に引っ掛かる。
【００２６】
上記構成の引戸ラッチ装置においては、上述したように、ラッチ部材１３を引戸よりも剛性の高い家具本体１に組み付けることができるので、ラッチ部材１３の位置精度及び動作安定性を高めることができる。また、可動部材であるラッチ部材１３と操作部材２０とを互いに分けて家具本体１と引戸３とにそれぞれコンパクトに組み込むことができる。したがって、引戸３側に組み込む可動部品を少なくすることができるので、引戸３の裏側が嵩張ることを防止できる。したがって、家具本体１内の収容スペースが狭められることを防止できるとともに、引戸３、４の引き違い移動が制限されて引戸３，４の開き量が狭まることを防止できる。
【００２７】
また上記実施例においては、ラッチ部材１３が家具本体１に対し上下方向にスライド可能に設けられているので、ラッチ部材１３の大きな移動ストロークを容易に確保することができる。したがって、ラッチ部材１３によるラッチ及び解除動作をより確実なものにすることができる。
【００２８】
また上記実施例においては、手掛け枠２２が操作部材２０の一部をなしているので、手掛け枠２２の中に可能部品を組み込む必要がなく操作部材２０をシンプルな構成とすることができる。
【００２９】
また上記実施例においては、引戸３の側端部に形成された係合穴３ａの下端縁がラッチ受け１２をなしているので、新たな部品を必要とせず、安価に製造できることとなる。なお、係合穴３ａの上端縁がラッチ受け１２をなすように形成することも可能である。
【００３０】
図７から図９までは本発明の他の実施例を示したものである。これらの図において、上記実施例と同様の構成要素には同一の参照符号が付してある。
【００３１】
図７を参照すると、この実施例では、引戸３の側端に形成された係合穴３ａの内側に配置されるラッチ受け１２が引戸３に固定される手掛け枠３０と一体に形成されている。手掛け枠３０は引戸３の表側に開口する凹部３０ａを有している。また、操作部材２０は手掛け枠３０に対し引戸３の開閉方向と同方向に移動可能に支持されてばね３１で閉方向に向かう力を与えられており、且つ、該手掛け枠３０の凹部３０ａ内に臨む手掛け部としての手掛け片３２を有している。さらに、ラッチ部材１３は家具本体１の側板５に取り付けられるホルダ１４に対し家具本体１の奥行き方向に延びる水平軸３３を介して回転移動可能に設けられており、これにより、ラッチ部材１３のフック部１３ａはラッチ受け１２に対しラッチ位置と解除位置との間を上下に移動可能とされている。また、ラッチ部材１３にはフック部１３ａを解除位置からラッチ位置へと復帰させるための湾曲ばね３４が設けられている。さらに、操作部材２０はラッチ受け１２と隣接してラッチ部材１３のフック部１３ａに作用するカム部３５を有しており、このカム部３５は、引戸３が閉位置にあるとき該操作部材２０を引戸３の開方向と同方向に移動させるとラッチ部材１３のフック部１３ａに当接しラッチ部材１３をラッチ位置からその上方の解除位置へと移動させることができるものとなっている。
【００３２】
したがって、この実施例の引戸ラッチ装置においては、引戸３を図８（ａ）に示す閉位置から図中右方に開くときは、図８（ｂ）に示すように、引戸３の表側から手掛け枠３０内の手掛け片３２に手の指２５をかけ手掛け片３２を図中右方に押す。このとき、ラッチ部材１３のフック部１３ａが引戸３に設けられているラッチ受け１２に引っ掛かって引戸３を閉位置に拘束しているので、操作部材２０の手掛け片３２が引戸３に対し図中右方に移動する。これに伴い、操作部材２０のカム部３５がラッチ部材１３のフック部１３ａの内側面に当接しフック部１３ａを図中右方に押すので、ラッチ部材１３は支持軸３３を中心としてラッチ位置から上方に移動する。そして、ラッチ部材１３がラッチ受け１２から離脱すると、引戸３は閉位置から解放される。したがって、手掛け片３２を引き続き図中右方に押すことにより、図８（ｃ）に示すように、引戸３を開方向に移動させることができる。
【００３３】
また、引戸３を閉めるときは、図９（ａ）に示すように、手掛け枠３０の凹部３０ａに手の指２５を掛けて手掛け枠３０を図中左方に押す。このとき、引戸３は手掛け枠３０と一緒に左方（閉方向）に移動する。そして、図９（ｂ）に示すように、ラッチ受け１２がラッチ部材１３のフック部１３ａに形成されている外側傾斜部１３ｃに当接し該外側傾斜部１３ｃを左方に押すので、ラッチ部材１３はばね３４の力に抗して上方に移動する。そして、図９（ｃ）に示すように、ラッチ受け１２がラッチ部材１３のフック部１３ａの下を通過し、引戸３が閉位置に達すると、ラッチ部材１３がばね３４の力で下方に移動しフック部１３ａがラッチ受け１２に引っ掛かる。
【００３４】
この図７〜図９に示す実施例においては、ラッチ部材１３のフック部１３ａの移動方向が上下方向であるため、大きな移動ストロークを容易に確保することができる。したがって、ラッチ及び解除動作の確実な引戸ラッチ装置を提供することができる。また、ラッチ部材１３の支持形態が回転支持であるので、動作の遊びを小さく抑えつつスムーズな動きを確保することができる。
【００３５】
また、引戸３に固定される手掛け枠３０にラッチ受け１２が一体に形成されるとともに、該手掛け枠３０に操作部材２０が支持されているので、これら部品を容易に引戸３に組み付けることができる。また、手掛け枠３０を基準としてラッチ受け１２と操作部材２０の位置合わせ精度を容易に確保することができるので、ラッチ部材１３とラッチ受け１２と操作部材２０とを容易に良好な相対的位置関係に保つことができる。
【００３６】
以上、図示実施例に付き説明したが、本発明は上記実施例の態様のみに限定されるものではなく、特許請求の範囲に記載した発明の範囲内において、その構成要素に種々の変更を加えることができる。例えば、図１〜図６に示す実施例の変形例として、操作部材２０にピンに代えて上向き山形のカム部を設け、ラッチ部材１３にカム部１３ｂに代えて操作部材のカム部と当接するピン等の当接部を設けてもよい。また、図７〜図９に示す実施例の変形例として、ラッチ部材１３にフック部１３ａと並列にカム部を設け、操作部材２０にはカム部３５に代えてラッチ部材１３のカム部に当接するピン等の当接部を設けてもよい。また、図１〜図６に示す実施例の変形例として、引戸３に固定して設けた固定手掛け枠に操作部材を移動可能に支持するとともに、操作部材の手掛け部を固定手掛け枠の凹部内に臨ませるように形成してもよい。さらに操作部材と手掛け部とが同一ベクトル方向の動きをし得るものであれば、操作部材と手掛け部とが別体に形成されていても本発明の所期目的を果たすことができる。
【００３７】
【発明の効果】
以上の説明から明らかなように、本発明によれば、ラッチ部材の安定動作を可能にするとともに、家具本体と引戸とにコンパクトに組み込むことができる家具の引戸ラッチ装置を提供することができる。
【図面の簡単な説明】
【図１】本発明の一実施例を示す収納家具の斜視図である。
【図２】図１に示す家具の一部破断要部横断面平面図である。
【図３】図２は図１に示す家具の一部破断要部縦断面正面図である。
【図４】収納家具及び引戸ラッチ装置の要部分解斜視図である。
【図５】（ａ）、（ｂ）、（ｃ）、（ｄ）は引戸を開くときの引戸ラッチ装置の一連の動きを示す家具の一部破断要部縦断面正面図である。
【図６】（ａ）、（ｂ）、（ｃ）、（ｄ）は引戸を閉めるときの引戸ラッチ装置の一連の動きを示す家具の一部破断要部縦断面正面図である。
【図７】本発明の他の実施例を示す引戸ラッチ装置の斜視図である。
【図８】（ａ）、（ｂ）、（ｃ）は引戸を開くときの図７の引戸ラッチ装置の一連の動きを示す家具の一部破断要部縦断面正面図である。
【図９】（ａ）、（ｂ）、（ｃ）は引戸を閉めるときの図７の引戸ラッチ装置の一連の動きを示す家具の一部破断要部縦断面正面図である。
【符号の説明】
１    家具本体
２    開口部
３、４    引戸
３ａ、４ａ    係合穴
５、６    側板
５ａ、６ａ    凹溝
１０、１１    引戸ラッチ装置
１２    ラッチ受け
１３    ラッチ部材
１３ａ    フック部
１３ｂ    カム部
１４    ホルダ
２０    操作部材
２１    ピン
２２    手掛け枠
【図１】
0003790848.tif 000002
【図２】
0003790848.tif 000003
【図３】
0003790848.tif 000004
【図４】
0003790848.tif 000005
【図５】
0003790848.tif 000006
【図６】
0003790848.tif 000007
【図７】
0003790848.tif 000008
【図８】
0003790848.tif 000009
【図９】
0003790848.tif 000010